(57)【要約】【課題】広い視野域を有することのできるディスプレイ装置及びその製造方法を提供する。【解決手段】第１面及び第２面を有する可撓性ベースと、可撓性ベースの第１面に接着される複数のベース部材を含む硬質ベースと、前記可撓性ベースの第２面に形成される画像表示構造とを有する。【選択図】      図１
2009282521.tif 000002
【特許請求の範囲】
【請求項１】
第１面及び第２面を有する可撓性ベースと、
可撓性ベースの第１面に接着される複数のベース部材を含む硬質ベースと、
前記可撓性ベースの第２面に形成される画像表示構造とを有することを特徴とするディスプレイ装置。
【請求項２】
前記画像表示構造は、液晶ディスプレイ（Ｌｉｑｕｉｄ  Ｃｒｙｓｔａｌ  Ｄｉｓｐｌａｙ：ＬＣＤ）構造を含むことを特徴とする請求項１に記載のディスプレイ装置。
【請求項３】
前記画像表示構造は、有機発光ダイオード（Ｏｒｇａｎｉｃ  Ｌｉｇｈｔ  Ｅｍｉｔｔｉｎｇ  Ｄｉｏｄｅ  Ｄｉｓｐｌａｙ：ＯＬＥＤ）ディスプレイ構造を含むことを特徴とする請求項１に記載のディスプレイ装置。
【請求項４】
前記画像表示構造は、反射型ディスプレイ構造を含むことを特徴とする請求項１に記載のディスプレイ装置。
【請求項５】
前記可撓性ベースは、プラスチックより形成されることを特徴とする請求項１乃至４のいずれか１項に記載のディスプレイ装置。
【請求項６】
前記硬質ベースは、ガラスより形成されることを特徴とする請求項１乃至５のいずれか１項に記載のディスプレイ装置。
【請求項７】
前記硬質ベースの複数のベース部材は、互いに平行に配置されることを特徴とする請求項１乃至６のいずれか１項に記載のディスプレイ装置。
【請求項８】
第１面及び第２面を有する可撓性ベースを準備する段階と、
前記第１面に硬質ベースを接着する段階と、
前記可撓性ベースの第２面に画像表示構造を形成する段階と、
前記硬質ベースを複数のベース部材に分離する段階とを有することを特徴とするディスプレイ装置の製造方法。
【請求項９】
前記画像表示構造を形成する段階は、液晶ディスプレイ構造を形成することを特徴とする請求項８に記載のディスプレイ装置の製造方法。
【請求項１０】
前記画像表示構造を形成する段階は、有機発光ダイオードディスプレイ構造を形成することを特徴とする請求項８に記載のディスプレイ装置の製造方法。
【請求項１１】
前記硬質ベースを複数のベース部材に分離する段階は、硬質ベースから複数の互いに平行なベース部材を形成することを特徴とする請求項８乃至１０のいずれか１項に記載のディスプレイ装置の製造方法。
【請求項１２】
前記可撓性ベースは、プラスチックより形成されることを特徴とする請求項８乃至１１のいずれか１項に記載のディスプレイ装置の製造方法。
【請求項１３】
前記硬質ベースは、ガラスより形成されることを特徴とする請求項８乃至１２のいずれか１項に記載のディスプレイ装置の製造方法。
【発明の詳細な説明】
【技術分野】
【０００１】
本発明は、ディスプレイ装置及びその製造方法に関し、特に、現実感（ｒｅａｌｉｔｙ）と没入感（ｉｍｍｅｒｓｉｖｅｎｅｓｓ）を増大させることのできるディスプレイ装置及びその製造方法に関する。
【背景技術】
【０００２】
大型ディスプレイの特徴のうちの一つは、ＦＯＶ（Ｆｉｅｌｄ  ｏｆ  Ｖｉｅｗ：視野域）を増大させることによって、視聴者の没入感を増大させることができるという点である。ＦＯＶを大きくすればするほど、視聴者は、ディスプレイ画面からの映像にさらに深く没入できるのである。
【０００３】
ＦＯＶを増加させる伝統的な方法は、画面をさらに大型化させることである。画面の大型化に限界があるので、限定されたサイズの画面からさらに大きいＦＯＶを具現できるのは、画面が丸く曲がったカーブ型ディスプレイ（Ｃｕｒｖｅｄ  ｄｉｓｐｌａｙ）である。カーブ型ディスプレイは、５０〜６０インチほどのディスプレイで、３０〜３５°ほどのＦＯＶを具現している。
【０００４】
しかし、現実と画面とを区分できないほどの現実感と没入感とを与えるためには、６５°ほどのＦＯＶが要求される。近年開発の段階にある１０５インチほどの超大型ディスプレイでも、５４°ほどのＦＯＶを得るに過ぎない。
【０００５】
６５°以上の大ＦＯＶを具現するディスプレイは、いくつかのディスプレイを一つに結合するタイル型ディスプレイ（Ｔｉｌｅｄ  ｄｉｓｐｌａｙ）がある。一例として、英国のＳｃｒｅｅｎ  Ｔｅｃｈｎｏｌｏｇｙ社で、１７インチのＬＣＤ（Ｌｉｑｕｉｄ  Ｃｒｙｓｔａｌ  Ｄｉｓｐｌａｙ）を多数接合し、２００インチ以上の超大型ディスプレイが紹介された例があるが、これは、９０°に至るＦＯＶを実現した。
【０００６】
これは、個別的に製造されたいくつかの単位パネルを一つに継ぎ合わせた（ｓｅａｍｉｎｇ）ものであるが、このような方式では、単位パネルを継ぎ合わせる工程上の困難さと、単位パネル間の継ぎ合わせ部分（ｓｅａｍ）での画質低下とが問題点となる。
【発明の概要】
【発明が解決しようとする課題】
【０００７】
そこで、本発明は上記従来のディスプレイ装置における問題点に鑑みてなされたものであって、本発明の目的は、高いＦＯＶを有することのできるディスプレイ装置及びその製造方法を提供することにある。
【課題を解決するための手段】
【０００８】
上記目的を達成するためになされた本発明によるディスプレイ装置は、第１面及び第２面を有する可撓性ベースと、可撓性ベースの第１面に接着される複数のベース部材を含む硬質ベースと、前記可撓性ベースの第２面に形成される画像表示構造とを有することを特徴とする。
【０００９】
上記目的を達成するためになされた本発明によるディスプレイ装置の製造方法は、第１面及び第２面を有する可撓性ベースを準備する段階と、前記第１面に硬質ベースを接着する段階と、前記可撓性ベースの第２面に画像表示構造を形成する段階と、前記硬質ベースを複数のベース部材に分離する段階とを有することを特徴とする。
【００１０】
本発明の例示的実施形態によれば、画像表示構造は、液晶を媒質として利用する非自発光性ディスプレイ構造、または有機発光物質を利用する自発光ディスプレイ構造を有することができる。
【発明の効果】
【００１１】
本発明に係るディスプレイ装置及びその製造方法によれば、単一のパネル構造を有して高いＦＯＶを有するという効果がある。
また、一定範囲内で、ＦＯＶを可変可能に形成できるという効果がある。
また、製作が容易であって、画質にすぐれる高いＦＯＶを有することができるという効果がある。
【図面の簡単な説明】
【００１２】
【図１】本発明の一実施形態によるディスプレイ装置の部分抜粋断面図である。
【図２】図１に示す本発明によるディスプレイ装置が曲がった状態を示す断面図である。
【図３】本発明によるディスプレイ装置の使用方法を例示する概略図である。
【図４】本発明によるディスプレイ装置の製造方法を説明するための断面図である。
【図５】本発明によるディスプレイ装置の製造方法を説明するための断面図である。
【図６】本発明によるディスプレイ装置の製造方法を説明するための断面図である。
【図７】本発明によって製造されたディスプレイ装置の硬質ベースのカッティング状態を例示する概略平面図である。
【発明を実施するための形態】
【００１３】
次に、本発明に係るディスプレイ装置及びその製造方法を実施するための形態の具体例を図面を参照しながら説明する。
【００１４】
図１は、本発明の一実施形態によるディスプレイ装置の概略的な部分抜粋断面図である。
図１を参照すると、本発明によるディスプレイ装置１は、可撓性ベース１０と、これに接着される複数のベース部材３０ａを具備する硬質ベース３０とを具備する。可撓性ベース１０の第１面１０ａに、複数のベース部材３０ａが互いに平行に固定され、第２面１０ｂに、画像表示構造２０が形成される。
【００１５】
可撓性ベース１０は、画像表示構造２０を支持するものであり、硬質ベース３０は、可撓性ベース１０に密集するように固定される複数のベース部材３０ａを具備するものであり、可撓性ベース１０と、その上に形成される画像表示構造２０とを柔軟に支持する。
【００１６】
可撓性ベース１０は、図２に示すように、画像表示構造２０側の方向に曲がる（ｂｅｎｔ  ｏｒ  ｃｕｒｖｅｄ）ことによって、画像表示構造２０が丸く変形させることができ、また再び、平面の形態に復元させることができる。それゆえ、ユーザの選択によって、画像表示構造２０を視聴者側に曲げることによって、ＦＯＶ（Ｆｉｅｌｄ  ｏｆ  Ｖｉｅｗ）の増加により、現実感及び没入感を増大させることができる。一方、ＦＯＶの増加が必要ではない場合、図１に示すように、画像表示構造２０を平坦に復元させることも可能である。このような画像表示構造２０の変形は、硬質ベース３０によって支持される。
【００１７】
硬質ベース３０は、複数のベース部材３０ａを備え、ベース部材３０ａは、１つの硬質板材をカッティングして得たものである。各ベース部材３０ａの幅は、図１に示すように、画像表示構造２０の３個の赤色（Ｒ）、緑色（Ｇ）、青色（Ｂ）の画素を包括する幅を有する。図面で、２０Ｒは赤色画素領域、２０Ｇは緑色画素領域、そして２０Ｂは青色画素領域を示す。
【００１８】
本発明の他の実施形態として、ベース部材３０ａの幅は、設計条件によって変化しうる。図１に示すように、３個の単位画素に対応するように、ベース部材３０ａの幅を決定することもでき、他の実施形態として、全体画面を三分割するほどの大きさを有するようにすることもでき、さらに他の実施形態として、数十〜数百個の領域を分割する大きさを有するようにすることもできる。これは、ただディスプレイ装置の設計によるものである。図１では、画像表示構造２０として、ＯＬＥＤ（Ｏｒｇａｎｉｃ  Ｌｉｇｈｔ  Ｅｍｉｔｔｉｎｇ  Ｄｉｏｄｅ：有機発光ダイオード）ディスプレイを例示的に示しており、各部分に係る説明は省略する。
【００１９】
画像表示構造２０は、可撓性ベース１０上に形成される一般的なディスプレイ構造、例えば、ＯＬＥＤディスプレイ、液晶（ｌｉｑｕｉｄ  ｃｒｙｓｔａｌ）ディスプレイ（ＬＣＤ）などでありうる。また、反射型ディスプレイとして、ＥＰＤ（Ｅｌｅｃｔｒｏ−Ｐｈｏｒｅｃｔｉｃ  Ｄｉｓｐｌａｙ）、ＥＣＤ（Ｅｌｅｃｔｒｏ−Ｃｈｒｏｍｉｃ  Ｄｉｓｐｌａｙ）も含むことができる。
【００２０】
本発明の他の実施形態として、画像表示構造２０の上に、前述の具体的なディスプレイ構造の一つを有することも可能であるが、それらのうちで選択された複合的な構造、例えば、液晶ディスプレイとＯＬＥＤディスプレイとが１つの構造に集積された複合型ディスプレイ、またはＯＬＥＤディスプレイと反射型ディスプレイとが一つに集積された複合型ディスプレイの構造を有することも可能である。
【００２１】
ＯＬＥＤディスプレイは、一般的な有機発光層と、その両側にカソード及びアノードとが設けられる多様な形態の公知ダイオード構造を有することができる。ＯＬＥＤディスプレイがカラー型である場合、ダイオード構造のＲ、Ｇ、Ｂ画素を具備し、各画素には、駆動トランジスタとスイッチング・トランジスタとを備える公知の駆動回路が設けられる。
【００２２】
液晶ディスプレイは、液晶層を中心に、その両側に電極が設けられる一般的な構造を有することができ、アクティブ・マトリックス構造の液晶ディスプレイは駆動トランジスタを有し、カラー液晶ディスプレイは、Ｒ、Ｇ、Ｂ画素ごとに該当色相のカラーフィルタが設けられる。
【００２３】
本発明によるディスプレイ装置は、多様な形態の画像表現構造を有する画像表示構造を有することができ、特定の画像表示構造によって、本発明の技術的範囲が制限されるものではない。従って、本発明に適用になるものであって、可撓性ベース１０上に形成される画像表示構造は、ＯＬＥＤディスプレイ、液晶ディスプレイなどを含み、それ以外にも、前述のような形態の変形が可能な構造への設計可能ないかなる方式のディスプレイ構造も適用されうる。
【００２４】
本実施形態によれば、画像表示構造２０は、１つの可撓性ベース１０に形成される。従って、画像表示構造２０は、電気的、物理的に一体化されたものであり、一連の連続した単一工程によって形成される。このような画像表示構造２０の大きさは、可撓性ベース１０のサイズに制限され、数インチから数百インチまでの大きさを有することができる。本実施形態によれば、実際の大きさが１２５インチであるディスプレイで、１５０インチクラスのＦＯＶを実現できる。そして、１５０インチのディスプレイでは、２００インチクラスのＦＯＶを実現できる。
【００２５】
図３は、本発明によるディスプレイ装置の使用方法を示す図面である。
仮想線で表示しているのは、画像表示構造が平面状態を維持するところを示し、実線で表示しているものとしては、視聴者を取り囲むような形態に画像表示構造が曲がった状態を示している。
【００２６】
平面状態でのＦＯＶがθ１であるとき、曲がった状態でのＦＯＶはθ２である。ユーザは、本発明によるディスプレイ装置を利用することによって、可撓性ベース１０に支持される画像表示構造２０を適切に変形させることによってＦＯＶを増大させ、それにより、実際の大きさに比べて拡大された大きさのディスプレイを楽しむことができる。
【００２７】
本発明によるディスプレイ装置は、前述のように、１つの可撓性ベース１０に単一工程による画像表示構造２０が形成され、従って、可撓性ベース１０を十分に大きくすることによって、従来のように、複数のディスプレイによる継ぎ合わせ（ｓｅａｍ）部分のない２００インチクラスＦＯＶの超大型ディスプレイの具現が可能である。２００インチクラスになっても継ぎ合わせのない画面の実現は、深い現実感と没入感とをもたらすことが可能である。
【００２８】
上記の通り、継ぎ合わせのない画像表示構造を有する本発明によるディスプレイ装置は、別途の機械的装置によって支持されうる。機械的装置は、ディスプレイ装置の曲がり具合を調整しつつ調整された状態を維持し、全体構造物を保護する。
【００２９】
以下、本発明の一実施形態によるディスプレイ装置の製造方法について説明する。
まず、図４に示すように、硬質ベース３０上に、可撓性ベース１０を固定する。
このとき、可撓性ベース１０と硬質ベース３０との間には、接着層４０が介在される。
硬質ベース３０は、例えば、ガラス基板であり、可撓性ベース１０は、プラスチック基板によって形成されうる。
【００３０】
前記の接着層（または接着剤）４０は、一般的な可撓性ディスプレイ（Ｆｌｅｘｉｂｌｅ  ｄｉｓｐｌａｙ）の製造に使われる接着剤とは異なる特性を有することが可能である。従来の可撓性ディスプレイの接着剤は、接着力にすぐれ、ディスプレイ製作工程中に製造工程のみで使われるガラスと、ディスプレイの支持体である可撓性基板とが分離することを防止せねばならないだけではなく、ディスプレイ製作工程後には、良好に分離可能である特性を有さねばならず、要求特性が複雑であった。
【００３１】
本発明によるディスプレイ装置に適用する接着層４０は、ディスプレイ製造完了後にも、ディスプレイ装置の一構成要素としてそのまま存在する。従って、本発明によるディスプレイ装置に使われる接着層は、優秀でありかつ安定した接着特性のみが要求される。
【００３２】
次に、図５に示すように、公知の方法によって、可撓性ベース１０上に画像表示構造２０を形成する。画像表示構造２０の製造は、画像表示構造それぞれの固有方法によって進められる。本発明の実施形態として、画像表示構造２０は、ＯＬＥＤディスプレイ、または液晶ディスプレイを含むことができる。
【００３３】
それぞれの製造は、一連の連続した工程を含む。ＯＬＥＤディスプレイは、カソード、アノード、有機発光層、電子輸送層、正孔輸送層などを備えることができる。液晶ディスプレイは、画素別にカラーフィルタ、液晶画素、駆動回路などを有することができる。本発明によるディスプレイ装置は、熱に弱いプラスチックなどによる可撓性ベース１０を適用する。従って、画像表示構造２０を製造する工程は、一般的な低温製造工程による。
【００３４】
次に、図６に示すように、可撓性ベース１０に対する画像表示構造２０の製造が完了した後、硬質ベース３０をカッティングし、複数のベース部材３０ａに分割する。このときのカッティングは、硬質ベース３０に対してのみなされ、従って、硬質ベース３０の各ベース部材３０ａは、接着層４０によって可撓性ベース１０に固定された状態を維持する。カッティング法としては、半導体製造に一般的に使用されるスクライビング、またはレーザカッティングなどが利用されうる。
【００３５】
図７は、カッティングされた硬質ベース３０を示しており、画面の上下方向にカッティングライン３０ｂが形成され、複数のベース部材３０ａがストライプ状またはバンド状を有してなり、従って、全体の硬質ベース３０は、多数の互いに平行なベース部材３０ａを具備する。
【００３６】
本実施形態によれば、超大型画面を有しつつも、継ぎ合わせのない画面（ｓｅａｍｌｅｓｓ  ｄｉｓｐｌａｙ）の提供が可能になる。従って、超大型画面であって優秀な画質を有するディスプレイ装置を得ることができる。本発明によるディスプレイ装置は、超大型ディスプレイ装置だけではなく、数インチほどの小型ディスプレイ装置にも適用が可能である。
【００３７】
また、本発明によるディスプレイ装置は、硬質ベース部材によって支持される可撓性ベースの曲げ具合が調節可能であるので、ユーザの必要性に応じて、ＦＯＶの調節を可能にさせうる。
例えば、本発明によるディスプレイ装置を一人で視聴するときには、ＦＯＶが最大になるように可撓性ベースを十分に曲げ、そして何人かで同時に視聴するときには、平坦に可撓性ベースを広げておくこともできる。
【００３８】
また、本発明によるディスプレイ装置によれば、折り畳み可能なディスプレイ（Ｆｏｌｄａｂｌｅ  ｄｉｓｐｌａｙ）の具現が可能である。すなわち、折り畳む部分に本発明の実施形態のような複数の硬質ベース部材によって可撓性ベースを支持させることによって、折り畳むことができつつも、継ぎ合わせのないディスプレイ装置の具現が可能になる。
【産業上の利用可能性】
【００３９】
本発明によるディスプレイ装置及びその製造方法は、超大型画面を有するディスプレイ装置だけでなく、小型ディスプレイ装置にも効果的に適用可能である。
【符号の説明】
【００４０】
１      ディスプレイ装置
１０      可撓性ベース
１０ａ    可撓性ベースの第１面
１０ｂ    可撓性ベースの第２面
２０      画像表示構造
２０Ｂ    画像表示構造の青色画素領域
２０Ｇ    画像表示構造の緑色画素領域
２０Ｒ    画像表示構造の赤色画素領域
３０        硬質ベース
３０ａ        ベース部材
３０ｂ        カッティングライン
４０      接着層
【図１】
2009282521.tif 000003
【図２】
2009282521.tif 000004
【図３】
2009282521.tif 000005
【図４】
2009282521.tif 000006
【図５】
2009282521.tif 000007
【図６】
2009282521.tif 000008
【図７】
2009282521.tif 000009